(57)【要約】【課題】マルチプレクサ回路のスイッチのオン時間が短くても消費電力を増大させることなく各画素に対して十分な充電を行うことができ、低価格で高画質を維持し得る液晶表示装置を提供する。【解決手段】走査信号Ｓｄｉにより各画素が選択されている走査期間に制御信号Ｓｃａ、Ｓｅｂ、ＳｃｃによりアナログスイッチＡＳＷを順次オンし、映像信号Ｓｇｉを各アナログスイッチ、信号線を介して走査信号で選択された画素に書き込み、走査信号がオフとなって、走査信号により画素が選択されていない期間において各アナログスイッチを制御するすべての制御信号Ｓｃａ、Ｓｅｂ、Ｓｃｃを同時に各アナログスイッチに供給して、全アナログスイッチを同時にオンとし、このオンとなったすべてのアナログスイッチを介して複数の信号線を同時に相互接続し、この信号線上の電位をほぼ中間電位に設定する。【選択図】図１
2005300977.tif 000002
【特許請求の範囲】
【請求項１】
複数の走査線と複数の信号線の各交差部に画素が配置され、走査線で選択された各画素に複数の信号線からの映像信号を書き込むことで表示を行う画素表示部と、
映像信号を映像信号線を介して供給する駆動ＩＣと、
前記駆動ＩＣからの映像信号線１本毎に前記信号線をＮ（Ｎは２以上の整数）本ずつ対応させたときの各グループ毎に、前記Ｎ本の信号線の中から選択された信号線を前記駆動ＩＣの出力に接続された映像信号線に接続するスイッチ手段と、
前記走査線からの走査信号により画素が選択されていない期間において、前記駆動ＩＣの出力を高インピーダンス状態に制御するとともに、前記Ｎ本の信号線のうち、複数の走査線による走査において次の走査で画素に書き込もうとする映像信号の極性が１つ前の走査で画素に書き込んだ映像信号の極性と異なる信号線のみを同時に前記高インピーダンス状態の駆動ＩＣの出力に相互接続するように前記スイッチ手段を制御する制御手段と
を有することを特徴とする液晶表示装置。
【発明の詳細な説明】
【技術分野】
【０００１】
本発明は、複数の走査線と複数の信号線の各交差部に画素が配置されたアクティブマトリックス型の液晶表示装置に関する。
【背景技術】
【０００２】
アクティブマトリックス型の液晶表示装置は、図６に示すように、画素表示部１、走査線駆動回路３および信号線駆動回路５から構成されている。画素表示部１は、走査線駆動回路３からの複数の走査線ｄ１、ｄ２、…ｄｎと信号線駆動回路５からの複数の信号線ｅ１、ｅ２、ｅ３、…との各交差部に薄膜トランジスタ（ＴＦＴ）１１、液晶を構成している液晶容量１３および補助容量１５からなる画素部を有する。各画素部の液晶容量１３および補助容量１５の各対向電極は、共通電極６に接続されている。
【０００３】
走査線駆動回路３からの各走査線ｄｉ（ｉ＝１、２、…ｎ）は、画素表示部１の各画素部の薄膜トランジスタ１１のゲートに接続され、走査線駆動回路３から出力される走査信号が各走査線ｄ１を介して順次画素表示部１の各画素部の薄膜トランジスタ１１のゲートに供給されるようになっている。
【０００４】
信号線駆動回路５からの各信号線ｅｉ（ｉ＝１、２、３、…）は、画素表示部１の各画素部の薄膜トランジスタ１１のソースに接続されている。信号線駆動回路５は、Ｄ／Ａコンバータ機能を有する複数の駆動ＩＣ９を有し、この複数の駆動ＩＣ９の出力はそれぞれ複数の信号線ｅｉに接続されている。信号線駆動回路５の各駆動ＩＣ９からの映像信号は、各信号線ｅｉを介して画素表示部１の各画素部の薄膜トランジスタ１１のソースに供給され、走査線駆動回路３からの走査信号によってゲートされた各薄膜トランジスタ１１のソースから映像信号を液晶容量１３および補助容量１５に供給し、映像信号のアナログ振幅電圧を液晶容量１３および補助容量１５に充電するようになっている。
【０００５】
上述したように構成されるアクティブマトリックス型の液晶表示装置においては、走査線駆動回路３が図７（ａ）に示すようなオン電圧レベルＶｇｈの走査信号Ｓｄｉを各走査線ｄｉに順次に出力する。この順次出力において、例えば第ｉ番目の走査線ｄｉに走査信号Ｓｄｉが出力されると、この走査線ｄｉに接続された画素表示部１の各画素部の各薄膜トランジスタ１１のゲートに走査線Ｓｄｉを供給し、走査線ｄｉに接続された各薄膜トランジスタ１１をゲートするとともに、信号線駆動回路５の各駆動ＩＣ９から図７（ｂ）〜（ｄ）に示すような映像信号Ｓｅ１（Ｒ１）、Ｓｅ２（Ｇ１）、Ｓｅ３（Ｂ１）、…をそれぞれ各信号線ｅ１、ｅ２、ｅ３…に出力し、これらの映像信号を前記ゲートされた薄膜トランジスタ１１のソースを介して各画素部の液晶容量１３および補助容量１５に供給し、前記映像信号のアナログ振幅電圧を液晶容量１３および補助容量１５に充電する。
【０００６】
走査信号Ｓｄｉが図７（ａ）に示すようにオフ電圧レベルＶｇｉとなり、すなわちオフとなり、第ｉ番目の走査線ｄｉに対する走査が終了すると、前記ゲートされた各薄膜トランジスタ１１はオフとなり、液晶容量１３および補助容量１５に充電された電圧は、次の走査が行われるまで保持される。
【０００７】
このように第ｉ番目の走査が終了すると、次に第ｉ＋１番目の走査線ｄｉ＋１に走査信号Ｓｄｉ＋１が出力され、この走査線ｄｉ＋１に接続された各薄膜トランジスタ１１を同様にゲートするとともに、信号線駆動回路５の各駆動ＩＣ９から映像信号Ｓｅ１（Ｒ１）、Ｓｅ２（Ｇ１）、Ｓｅ３（Ｂ１）、…を同様に各信号線ｅ１、ｅ２、ｅ３、…を介して前記ゲートされた薄膜トランジスタ１１のソースを介して各画素部の液晶容量１３および補助容量１５に映像信号のアナログ振幅電圧を充電する。第ｉ＋１番目の走査信号Ｓｄｉ＋１が同様にオフになると、前記ゲートされた各薄膜トランジスタ１１はオフとなり、液晶容量１３および補助容量１５に充電された電圧は、次の走査が行われるまで保持される。
【０００８】
以下、同様な走査を各走査線ｄｉに対して順次繰り返し行うことにより画素表示部１により映像信号に対応する画像を全体的に表示することができる。
【０００９】
図８は、図６に示したアクティブマトリックス型の液晶表示装置において信号線駆動回路５の駆動ＩＣ９と信号線ｅｉとの間にマルチプレクサ回路を構成するスイッチ手段である複数のスイッチ２１ａ、２１ｂ、２１ｃを設けた液晶表示装置の構成を示す回路図である。なお、図８において、画素表示部１、走査線駆動回路３の構成は図６に示したものと同じである。
【００１０】
このようにマルチプレクサ回路を構成する複数のスイッチ２１ａ、２１ｂ、２１ｃを駆動ＩＣ９と信号線ｅｉとの間に設けることにより、信号線駆動回路５における駆動ＩＣ９の数および駆動ＩＣ９の出力に接続されている映像信号ｇ１、…の数を低減することができる。
【００１１】
すなわち、図８に示した液晶表示装置においては、信号線駆動回路５の駆動ＩＣ９の出力に接続されている各映像信号線ｇｉ（ｉ＝１、…）に対して３個のスイッチ２１ａ、２１ｂ、２１ｃが接続され、各映像信号線ｇｉはスイッチ２１ａ、２１ｂ、２１ｃを介して３本の信号線ｅｉに接続されるようになっているので、図８の信号線駆動回路５に設けられる駆動ＩＣ９の数および映像信号線ｇｉの数は、図６に示した液晶表示装置の信号線駆動回路５に設けられている駆動ＩＣ９の数および駆動ＩＣ９の出力に接続されている映像信号線ｇｉの数の１／３に低減され、これにより大幅な小型化、経済化を図り得るようになっている。
【００１２】
このようにマルチプレクサ回路を有する図８の液晶表示装置においては、信号線駆動回路５の各駆動ＩＣ９から各映像信号線ｇｉに出力される映像信号Ｓｇｉは、映像信号線ｇｉからスイッチ２１ａ、２１ｂ、２１ｃおよび信号線ｅｉを介して画素表示部１に供給される。画素表示部１においては、映像信号Ｓｇｉは、上述したように走査線駆動回路３からの走査信号Ｓｄｉによりゲートされた画素表示部１の薄膜トランジスタ１１のソースを介して液晶容量１３および補助容量１５に供給され、映像信号Ｓｇｉのアナログ振幅電圧が液晶容量１３および補助容量１５に充電される。
【００１３】
更に詳しくは、図９に示すタイミング図を参照して、図８に示す液晶表示装置の動作について説明する。図９のタイミング図において、図９（ａ）は前記走査信号Ｓｄｉを示し、図９（ｂ）、（ｃ）、（ｄ）はそれぞれスイッチ２１ａ、２１ｂ、２１ｃをオン／オフ制御する制御信号Ｓｃａ、Ｓｃｂ、Ｓｃｃを示し、図９（ｅ）は駆動ＩＣ９の出力信号であるＢ１、Ｒ１、Ｇ１に対応する映像信号Ｓｇｉを示し、図９（ｆ）はＧ１に対応する信号線ｅｉ上の電位波形Ｓｅｉを示している。なお、制御信号Ｓｃａ、Ｓｃｂ、Ｓｃｃは、図示しない制御手段から供給されるものである。
【００１４】
図８に示す液晶表示装置において、走査線駆動回路３から図９（ａ）に示すような第ｉ番目の走査信号Ｓｄｉが出力され、この第ｉ番目の走査信号Ｓｄｉが第ｉ番目の走査線ｄｉを介して画素表示部１に供給されると、この第ｉ番目の走査線ｄｉに接続されている各薄膜トランジスタ１１が走査信号Ｓｄｉによりゲートされる。
【００１５】
このように第ｉ番目の走査線ｄｉに接続されている各薄膜トランジスタ１１がゲートされている時に、図９（ｂ）において最初に示す制御信号Ｓｃａによりスイッチ２１ａがまずオンとなる。そして、この時、信号線駆動回路５の駆動ＩＣ９から映像信号線ｇ１上に出力されている図９（ｅ）に示す映像信号Ｓｇｉがスイッチ２１ａを介して信号線ｅ１に出力され、この信号線ｅ１から前記ゲートされている各薄膜トランジスタ１１のソースを介して該当する画素部の液晶容量１３および補助容量１５に供給され、そのアナログ振幅電圧が液晶容量１３および補助容量１５に充電される。
【００１６】
次に、図９（ｃ）に示す制御信号Ｓｃｂによりスイッチ２１ｂがオンになると、同様に、図９（ｅ）に示す映像信号Ｓｇｉがスイッチ２１ｂを介して信号線ｅ２に出力され、この信号線ｅ２から前記ゲートされている各薄膜トランジスタ１１のソースを介して該当する画素部の液晶容量１３および補助容量１５に供給され、そのアナログ振幅電圧が液晶容量１３および補助容量１５に充電される。
【００１７】
更に同様に、図９（ｄ）に示す制御信号Ｓｃｃによりスイッチ２１ｃがオンになると、映像信号Ｓｇｉがスイッチ２１ｃを介して信号線ｅ３に図９（ｆ）に示すような負極性の電位波形Ｓｅｉとして出力され、この信号線ｅ３から前記ゲートされている各薄膜トランジスタ１１のソースを介して該当する画素部の液晶容量１３および補助容量１５に充電される。
【００１８】
走査線Ｓｄｉが図９（ａ）に示すようにオフとなり、第ｉ番目の走査線ｄｉに対する走査が終了すると、前記ゲートされた各薄膜トランジスタ１１はオフとなり、液晶容量１３および補助容量１５に充電された電圧は、次の走査が行われるまで保持される。
【００１９】
次に、走査線駆動回路３から第ｉ＋１番目の走査線ｄｉ＋１に第ｉ＋１番目の走査線ｄｉ＋１が出力され、この走査線ｄｉ＋１に接続された各薄膜トランジスタ１１をゲートすると、上述したと同様に、制御信号Ｓｃａ、Ｓｃｂ、Ｓｃｃが順次出力され、これに応答してスイッチ２１ａ、２１ｂ、２１ｃが順次オンとなり、このオンに応じて駆動ＩＣ９から映像信号線上に出力されている図９（ｅ）に示す映像信号Ｓｇｉが順次スイッチ２１ａ、２１ｂ、２１ｃを介して信号線ｅ１、ｅ２、ｅ３に出力され、前記ゲートされている各薄膜トランジスタ１１のソースを介して該当する画素部の液晶容量１３および補助容量１５に供給され、そのアナログ振幅電圧が液晶容量１３および補助容量１５に充電される。
【００２０】
以下、同様な走査を各走査線ｄｉに対して順次繰り返し行うことにより画素表示部１により映像信号に対する画像を全体的に表示することができる。
【００２１】
なお、図９では、黒ラスタ表示において、第ｉ番目の走査において制御信号Ｓｃｃがオンとなっている期間に負極性の黒表示レベルを画素に与えるような映像信号Ｓｇｉの電圧が画素部の液晶容量１３および補助容量１５に充電され、第ｉ＋１番目の走査では、制御信号Ｓｃｃがオンになっている期間に正極性の黒表示
レベルを画素に与えるような映像信号Ｓｇｉの電圧が画素部の液晶容量１３および補助容量１５に充電されている。また、Ｇ１に対応する画素への映像信号Ｓｇｉの極性は、Ｂ１、Ｒ１に対する画素への映像信号Ｓｇｉの極性に対して反転し、更に次のフレームで同一走査線ｄｉに走査信号Ｓｄｉが供給される時には、各信号線ｅｉに出力される映像信号Ｓｇｉは逆極性となるというように１画素毎に極性が反転し、液晶を交流駆動し、これにより液晶の組成分解を防止し、動作寿命を確保している。
【特許文献１】特願２００４−４０１２８号
【発明の開示】
【発明が解決しようとする課題】
【００２２】
図８に示したように、マルチプレクサ回路を有する液晶表示装置では、駆動ＩＣ９の数および映像信号線ｇｉの数を低減され、小型化、経済化を図ることができるが、画素表示部１の各画素に対する充電時間は、マルチプレクサ回路を構成するスイッチ２１ａ、２１ｂ、２１ｃが制御信号Ｓｃａ〜Ｓｃｃによりオンとなっている短い期間となっているため、映像信号のアナログ振幅電圧を各画素の液晶容量１３および補助容量１５に十分に充電するには時間が短く、充電不足による画像品質の低下が発生しやすいという問題がある。
【００２３】
また、スイッチ２１ａ、２１ｂ、２１ｃがオンとなる短い期間において映像信号のアナログ振幅電圧を各画素の液晶容量１３および補助容量１５に十分に充電するには、信号線駆動回路５の駆動ＩＣ９の出力に高い充電能力を必要とするため、具体的には駆動ＩＣ９の出力抵抗を小さくして、駆動ＩＣ９から液晶容量１３および補助容量１５に供給する充電電流を大きくすることが必要であるため、信号線駆動回路５の駆動ＩＣ９における消費電流が大きくなり、液晶表示装置全体としての消費電力が増加し、高価格化するという問題がある。
【００２４】
本発明は、上記に鑑みてなされたもので、その目的とするところは、マルチプレクサ回路のスイッチのオン時間が短くても、消費電力を増大させることなく各画素に対して十分な充電を行うことができ、低価格で高画質を維持し得る液晶表示装置を提供することにある。
【課題を解決するための手段】
【００２５】
請求項１記載の本発明の液晶表示装置は、複数の走査線と複数の信号線の各交差部に画素が配置され、走査線で選択された各画素に複数の信号線からの映像信号を書き込むことで表示を行う画素表示部と、映像信号を映像信号線を介して供給する駆動ＩＣと、前記駆動ＩＣからの映像信号線１本毎に前記信号線をＮ（Ｎは２以上の整数）本ずつ対応させたときの各グループ毎に、前記Ｎ本の信号線の中から選択された信号線を前記駆動ＩＣの出力に接続された映像信号線に接続するスイッチ手段と、前記走査線からの走査信号により画素が選択されていない期間において、前記駆動ＩＣの出力を高インピーダンス状態に制御するとともに、前記Ｎ本の信号線のうち、複数の走査線による走査において次の走査で画素に書き込もうとする映像信号の極性が１つ前の走査で画素に書き込んだ映像信号の極性と異なる信号線のみを同時に前記高インピーダンス状態の駆動ＩＣの出力に相互接続するように前記スイッチ手段を制御する制御手段とを有することを要旨とする。
【発明の効果】
【００２６】
本発明によれば、映像信号を供給する駆動ＩＣからの各映像信号線をスイッチ手段を介してＮ本の信号線に接続し、走査信号により画素が選択されていない期間において、駆動ＩＣの出力を高インピーダンス状態に制御し、この高インピーダンス状態の駆動ＩＣの出力に対してスイッチ手段を介してＮ本の信号線のうち、次の走査で映像信号の極性が１つ前の走査での極性と異なる信号線のみを同時に相互接続するので、この極性の異なる信号線のみの電位をほぼ中間電位にすることで同じ極性による充電時間および消費電力の増大を抑制しながら、次の走査においてこのほぼ中間電位を補うように充電が行われ、充電時間を短縮でき、充電不足がなくなり、充電不足による画像品質の低下もなくなり、消費電力も低減し、低価格化を図ることができる。
【発明を実施するための最良の形態】
【００２７】
以下、図面を用いて、本発明を実施するための最良の形態（以下、実施形態と称する）を説明する。
【００２８】
図１は、本発明の実施形態に係わる液晶表示装置の動作シーケンスを示すタイミング図である。同図に示す実施形態の液晶表示装置の回路構成は、図８に示す回路構成と同じであって、画素表示部１、走査線駆動回路３、信号線駆動回路５およびマルチプレクサ回路を構成する複数のスイッチ２１ａ、２１ｂ、２１ｃを有するものであるが、スイッチ２１ａ、２１ｂ、２１ｃの動作シーケンスと信号線駆動回路５を構成する駆動ＩＣ９の出力インピーダンスを所定のタイミングで高インピーダンスにする点が図８の回路構成と異なるものである。
【００２９】
具体的には、図１に示す本実施形態のタイミング図を図９に示すものと比較することにより分かるように、本実施形態では、図１において第ｉ番目の走査信号Ｓｄｉと第ｉ＋１番目の走査信号Ｓｄｉ＋１との間のように走査線駆動回路３から走査信号Ｓｄｉが出力されていない期間、すなわち走査線ｄｉからの走査信号Ｓｄｉにより画素表示部１の各画素が選択されていない期間において、符号２０で示すようにスイッチ２１ａ、２１ｂ、２１ｃが同時にオンとなるように図示しない制御手段によりスイッチ２１ａ、２１ｂ、２１ｃの動作タイミングを制御するとともに、この同じ期間においては信号線駆動回路５の駆動ＩＣ９の出力が高インピーダンス状態になるように設定または図示しない制御手段により制御され、これにより駆動ＩＣ９の出力に接続されている映像信号線ｇｉからスイッチ２１ａ、２１ｂ、２１ｃを介して複数（本実施形態では３本）の信号線ｅｉまでの回路が駆動ＩＣ９の出力から絶縁されるように構成されているものである。
【００３０】
この結果、高インピーダンス状態の駆動ＩＣ９の出力にスイッチ２１ａ、２１ｂ、２１ｃを介して複数の信号線ｅｉが同時に接続され、この複数の信号線ｅｉは、スイッチ２１ａ、２１ｂ、２１ｃを介して電気的に相互接続された状態になる。従って、スイッチ２１ａ、２１ｂ、２１ｃを介して相互接続された複数の信号線ｅｉは、駆動ＩＣ９の出力から完全に絶縁され、電気的には実質的にどこにも接続されていない宙ぶらりんの状態にあるものであるため、この時、複数の信号線ｅｉの上に保持されていた異なる極性の電荷は、スイッチ２１ａ、２１ｂ、２１ｃを介して相互接続経路を介して中和され、複数の信号線ｅｉ上の電位は、図１（ｆ）において符号２４で示すように映像信号のアナログ振幅電圧のほぼ中間電位になる。
【００３１】
具体的には、図１（ａ）に示すように、走査線駆動回路３から第ｉ番目の走査信号Ｓｄｉが出力され、この第ｉ番目の走査信号Ｓｄｉにより画素表示部１の該当する各画素が選択されている時に、図１（ｄ）に示すように、スイッチ２１ｃがスイッチ２１ａ、２１ｂに続いて符号２２で示すようにオンになると、図１（ｅ）に示す映像信号Ｓｇｉがスイッチ２１ｃを介して信号線ｅ３上に印加され、信号線ｅ３上の電位は図１（ｆ）に示すように映像信号Ｓｇｉの負極性の黒表示レベルの電位になるまで駆動ＩＣ９からの映像信号で充電され、更にこの映像信号Ｓｇｉの負極性の黒表示レベルの電圧は信号線ｅ３から該当する画素（すなわち、走査信号Ｓｄｉで選択されている画素）の薄膜トランジスタ１１を介して液晶容量１３および補助容量１５を充電する。
【００３２】
次に、走査線駆動回路３からの第ｉ番目の走査信号Ｓｄｉがオフとなって、画素表示部１の画素が選択されていない期間になり、符号２０で示すように、スイッチ２１ａ、２１ｂ、２１ｃが同時にオンになると、図１（ｆ）に示すように映像信号Ｓｇｉの負極性の黒表示レベルの電位になっていた信号線ｅ３上の電位は、オンとなったスイッチ２１ａ、２１ｂ、２１ｃを介して相互接続経路を介して中和され、図１（ｆ）において符号２４で示すように映像信号のアナログ振幅電圧のほぼ中間電位になる。
【００３３】
次に、図１（ａ）に示すように、第ｉ＋１番目の走査信号Ｓｄｉ＋１が出力され、この第ｉ＋１番目の走査信号Ｓｄｉ＋１により画素表示部１の該当する各画素が選択されている時に、制御信号Ｓｃａ、Ｓｃｂ、Ｓｃｃが順次出力され、これによりスイッチ２１ａ、２１ｂ、２１ｃが順次オンになると、スイッチ２１ａ、２１ｂ、２１ｃに接続された各信号線上に映像信号が順次印加され、各信号線上の電位は、上述したほぼ中間電位を補うようにほぼ中間電位から映像信号の最大電圧レベルまで充電される。この充電動作を制御信号Ｓｃｃに対応するスイッチ２１ｃの場合について説明すると、スイッチ２１ｃがオンになる直前の信号線上の電位は、図１（ｆ）に符号２４で示すようにほぼ中間電位にあるが、このほぼ中間電位に対してスイッチ２１ｃを介して映像信号Ｓｇｉの正極性の黒表示レベルの電圧が印加されると、この信号線上の電位は、このほぼ中間電位を補うべく、図１（ｆ）に符号２６で示すように、正極性の黒表示レベルの電圧まで短時間で急速に充電される。
【００３４】
それから、上述したように、各信号線の上の電位がほぼ中間電位から映像信号の最大電圧レベルまで充電された後、更にこの映像信号の最大レベルの電圧は当該信号線から該当する画素の液晶容量１３および補助容量１５を充電する。
【００３５】
すなわち、上記動作において、図１（ｆ）で符号２６で示すように映像信号Ｓｇｉの正極性の黒表示レベルの電位になる直前の信号線ｅ３上の電位は、符号２４で示したようにほぼ中間電位になっていて、スイッチ２１ｃを介した駆動ＩＣ９からの映像信号Ｓｇｉの正極性の黒表示レベルの電圧は、このほぼ中間電位を補うように中間電位の上に供給されるので、この中間電位から正極性の黒表示レベルの電位になるまでに駆動ＩＣ９からの映像信号で充電される時間は、従来、図９において符号１００で示すように、負極性の黒表示レベルの電位までフルに振られて中間電位よりも深い電位に保持されている場合に比較して、著しく短縮される。
【００３６】
従って、その分、映像信号Ｓｇｉの正極性の黒表示レベルの電圧は信号線ｅ３から該当する画素の液晶容量１３および補助容量１５を短い時間で十分に充電することができ、充電不足が発生することもなくなり、充電不足による画像品質の低下を招くことがなくなるとともに、また消費電力が増大することがないだけでなく、むしろ中間電位を補うように中間電位の上に供給すればよいものであるため、信号線駆動回路５の駆動ＩＣ９における消費電流を低減することができるし、逆に同じ消費電流の場合には、信号線駆動回路５で駆動できる信号線の数を増大することができ、低価格化を図ることができる。
【００３７】
なお、上記実施形態では、マルチプレクサ回路を構成するスイッチ２１ａ、２１ｂ、２１ｃを３個とし、またスイッチ２１ａ、２１ｂ、２１ｃを介して時分割に選択される信号線の本数を３本の場合について説明したが、本発明はこれに限定されるものでなく、２個以上任意のスイッチおよび２本以上任意の信号線を使用しても同じ効果を奏功することは勿論のことである。
【００３８】
図２は、本発明の実施形態に係わる液晶表示装置に使用されるマルチプレクサの一部を構成する複数のアナログスイッチの構成を示す回路図である。
【００３９】
図２に示す実施形態の液晶表示装置は、図８に示す液晶表示装置において各１本の映像信号に３個のスイッチ２１ａ、２１ｂ、２１ｃを対応させたマルチプレクサ回路の代わりに各１本の映像信号Ｓｇｉに４個のアナログスイッチＡＳＷ１〜ＡＳＷ４またはＡＳＷ５〜ＡＳＷ８を対応させたグループを２組設けたものを単位として有するマルチプレクサ回路を設けた点が図８の液晶表示装置と異なるものであり、その他の構成および作用は図８と同じである。
【００４０】
図２において、映像信号Ｓｇ１は、アナログスイッチＡＳＷ１〜ＡＳＷ４のそれぞれのソースに接続され、各アナログスイッチＡＳＷ１〜４を介して信号線ｅ１（Ｒ１）、ｅ２（Ｇ１）、ｅ３（Ｂ１）、ｅ４（Ｒ２）にそれぞれ接続されている。また、映像信号Ｓｇ２は、アナログスイッチＡＳＷ５〜８のそれぞれのソースに接続され、各アナログスイッチＡＳＷ５〜８を介して信号線ｅ５（Ｇ２）、ｅ６（Ｂ２）、ｅ７（Ｒ３）、ｅ８（Ｇ３）にそれぞれ接続されている。
【００４１】
また、アナログスイッチＡＳＷ１、ＡＳＷ７はゲートに制御信号ＡＳＷＵ１を印加され、アナログスイッチＡＳＷ２、ＡＳＷ８はゲートに制御信号ＡＳＷＵ２を印加され、アナログスイッチＡＳＷ３、ＡＳＷ５はゲートに制御信号ＡＳＷＵ３を印加され、アナログスイッチＡＳＷ４、ＡＳＷ６は制御信号ＡＳＷＵ４を印加されていて、各アナログスイッチＡＳＷはゲートに制御信号ＡＳＷＵが印加されることによりオンとなり、映像信号Ｓｇｉを信号線ｅｉに供給するようになっている。
【００４２】
図３は、図２に示す構成のマルチプレクサ回路を有する液晶表示装置において２水平走査期間毎に信号線ｅｉに供給される映像信号Ｓｇｉの極性を切り替えるとともに、隣接する信号線ｅｉについては２本毎に極性を反転させた映像信号Ｓｇｉを供給するようにした信号線４選択２Ｈ２Ｖ反転駆動方式において信号線ｅｉがアナログスイッチＡＳＷによって選択される順番とその時の極性をｎフレームおよびｎ＋１フレームの１〜４行の走査線に対して示す図である。
【００４３】
図３において、例えばｎフレームの２行目の映像信号Ｓｇ１に対応する信号線ｅ１（Ｒ１）、ｅ２（Ｇ１）、ｅ３（Ｂ１）、ｅ４（Ｒ２）を見ると、まず最初に「−１」で示すように「信号線ｅ２（Ｇ１）、負極性」、２番目に「２」で示すように「信号線ｅ４（Ｒ２）、正極性」、３番目に「３」で示すように「信号線ｅ１（Ｒ１）、正極性」、４番目に「−４」で示すように「信号線ｅ３（Ｂ１）、負極性」が順次選択される。また、同じフレームの３行目を見ると、まず最初に「信号線ｅ１（Ｒ１）、負極性」、２番目に「信号線ｅ３（Ｂ１）、正極性」、３番目に「信号線ｅ４（Ｒ２）、正極性」４番目に「信号線ｅ２（Ｇ１）、負極性」が順次選択される。
【００４４】
上述した順次選択において、各信号線ｅ１（Ｒ１）、ｅ２（Ｇ１）、ｅ３（Ｂ１）、ｅ４（Ｒ２）に着目すると、上記と同じｎフレームの２行目から３行目における映像信号Ｓｇ１に対応する信号線ｅ１（Ｒ１）、ｅ２（Ｇ１）、ｅ３（Ｂ１）、ｅ４（Ｒ２）上の極性は、信号線ｅ１（Ｒ１）では「正極性から負極性」、信号線ｅ２（Ｇ１）では「負極性から負極性」、信号線ｅ３（Ｂ１）では「負極性から正極性」、信号線ｅ４（Ｒ２）では「正極性から正極性」のようになっている。この結果、信号線ｅ１（Ｒ１）とｅ３（Ｂ１）では２行目から３行目において極性が反転し、信号線ｅ２（Ｇ１）とｅ４（Ｒ２）では２行目から３行目において極性が同じであることが分かる。
【００４５】
ここで、図１で説明したように、走査線駆動回路３からの走査信号Ｓｄｉがオフとなって、画素表示部１の画素が選択されていない期間において、映像信号Ｓｇｉを出力する各駆動ＩＣ９の出力を高インピーダンスにするとともに、また図１に符号２０で示すように、アナログスイッチＡＳＷ１〜４のすべてをオンにして、信号線ｅ１（Ｒ１）、ｅ２（Ｇ１）、ｅ３（Ｂ１）、ｅ４（Ｒ２）をアナログスイッチＡＳＷ１〜４を介して相互接続すると、正極性と負極性の信号線ｅｉがそれぞれ２本ずつあるため、この４本の信号線ｅ１（Ｒ１）、ｅ２（Ｇ１）、ｅ３（Ｂ１）、ｅ４（Ｒ２）上の電位は、図１に符号２４で示した場合と同様に、正と負のほぼ中間電位になる。
【００４６】
ここで、上述したように、ｎフレームの２行目から３行目における映像信号Ｓｇ１に対応する信号線ｅ１（Ｒ１）、ｅ２（Ｇ１）、ｅ３（Ｂ１）、ｅ４（Ｒ２）上の極性が、信号線ｅ１（Ｒ１）とｅ３（Ｂ１）におけるように反転する場合には、上述したようにアナログスイッチＡＳＷ１〜４をオンにして同信号線ｅ１（Ｒ１）とｅ３（Ｂ１）上の電位をほぼ中間電位にすることは効果があるが、信号線ｅ２（Ｇ１）とｅ４（Ｒ２）におけるように反転せず同じである場合には、アナログスイッチＡＳＷ１〜４をすべてオンにすると、信号線ｅ２（Ｇ１）とｅ４（Ｒ２）上の電位は１度逆極性側に振られ、次のフレームで同じ極性の映像信号を書き込まれることになるので、この場合の動作は充電時間を長くさせ、消費電力を増大することになる。
【００４７】
従って、本実施形態では、このような充電時間を長くさせ、消費電力を増大するような不具合な動作を除去するために、極性が反転せず同じである信号線に接続されているアナログスイッチＡＳＷは、画素表示部１の画素が選択されていない期間においてオンとせず、極性が反転する信号線に接続されているアナログスイッチＡＳＷのみを画素表示部１の画素が選択されていない期間においてオンするように図示しない制御手段で制御し、これにより極性が反転する信号線上の図１の実施形態と同様にほぼ中間電位にし、次の映像信号による充電時間を短縮し、映像信号の画素に対する書き込みを安定化している。
【００４８】
図４は、図３においてｎフレームの２行目におけるアナログスイッチＡＳＷ１〜４の動作を示すタイミング図である。アナログスイッチＡＳＷ１〜４は、図３のｎフレームの２行目に極性とともに示す選択順番「３、−１、−４、２」に従って図４の符号４０１で示すように、まず１番目にアナログスイッチＡＳＷ２がオンとなり、これによりアナログスイッチＡＳＷ２、信号線ｅ２を介して負極性の映像信号が画素に供給され、次に２番目に符号４０２で示すように、アナログスイッチＡＳＷ４がオンとなり、これによりアナログスイッチＡＳＷ４、信号線ｅ４を介して正極性の映像信号が画素に供給され、次に３番目に符号４０３で示すように、アナログスイッチＡＳＷ１がオンとなり、これによりアナログスイッチＡＳＷ１、信号線ｅ１を介して正極性の映像信号が画素に供給され、次に４番目に符号４０４で示すように、アナログスイッチＡＳＷ３がオンとなり、これによりアナログスイッチＡＳＷ３、信号線ｅ３を介して負極性の映像信号が画素に供給される。
【００４９】
次に、走査信号がオフとなり、画素表示部１の各画素が選択されていない期間において、符号４０５、４０６で示すように、次に極性が反転する信号線に接続されているアナログスイッチＡＳＷ１、３のみをオンとし、このオンにより相互接続されたアナログスイッチＡＳＷ１、３を介して信号線ｅ１、３上の電位をほぼ中間電位にしている。
【００５０】
図５は、図３においてｎフレームの３行目におけるアナログスイッチＡＳＷ１〜４の動作を動作を示すタイミング図である。アナログスイッチＡＳＷ１〜４は、図３のｎフレームの３行目の極性とともに示す選択順番「−１、−４、２、３」に従って図５において符号５０１、５０２、５０３、５０４で示すように、まず１番目にアナログスイッチＡＳＷ１がオンとなり、２番目にアナログスイッチＡＳＷ３がオンとなり、３番目にアナログスイッチＡＳＷ４がオンとなり、最後にアナログスイッチＡＳＷ２がオンとなる。
【００５１】
それから、走査信号がオフとなり、画素表示部１の各画素が選択されていない期間において、符号５０５、５０６で示すように、次に極性が反転する信号線に接続されているアナログスイッチＡＳＷ２、４のみをオンとし、このオンにより相互接続されたアナログスイッチＡＳＷ２、４を介して信号線ｅ２、４上の電位をほぼ中間電位にしている。
【００５２】
なお、上記実施形態では、各１本の映像信号毎に４本の信号線を対応させるとともに、２水平走査期間毎に信号線に供給される映像信号の極性を切り替えるとともに、隣接する信号線については２本毎に極性を反転させた映像信号を供給するようにした信号線４選択２Ｈ２Ｖ反転駆動方式について説明したが、本発明はこれに限定されるものでないことは勿論のことである。  
【図面の簡単な説明】
【００５３】
【図１】本発明の実施形態に係わる液晶表示装置の動作シーケンスを示すタイミング図である。
【図２】本発明の実施形態に係わる液晶表示装置に使用されるマルチプレクサの一部を構成する複数のアナログスイッチの回路構成を示す回路図である。
【図３】図２に示す構成のマルチプレクサ回路における信号線４選択２Ｈ２Ｖ反転駆動方式においてアナログスイッチＡＳＷによる信号線の選択順番とその時の極性をｎフレームおよびｎ＋１フレームの１〜４行の走査線に対して示す図である。
【図４】図３においてｎフレームの２行目におけるアナログスイッチＡＳＷ１〜４の動作を示すタイミング図である。
【図５】図３においてｎフレームの３行目におけるアナログスイッチＡＳＷ１〜４の動作を示すタイミング図である。
【図６】アクティブマトリックス型の液晶表示装置の構成を示す回路図である。
【図７】図６に示す液晶表示装置の動作を示すタイミング図である。
【図８】マルチプレクサ回路を構成する複数のスイッチを設けたアクティブマトリックス型の液晶表示装置の構成を示す回路図である。
【図９】図８に示す液晶表示装置の動作を示すタイミング図である。
【符号の説明】
【００５４】
１    画素表示部
３    走査線駆動回路
５    信号線駆動回路
９    駆動ＩＣ
１１    薄膜トランジスタ
１３    液晶容量
１５    補助容量
２１ａ、２１ｂ、２１ｃ    スイッチ
ＡＳＷ１〜８    アナログスイッチ
【図１】
2005300977.tif 000003
【図２】
2005300977.tif 000004
【図３】
2005300977.tif 000005
【図４】
2005300977.tif 000006
【図５】
2005300977.tif 000007
【図６】
2005300977.tif 000008
【図７】
2005300977.tif 000009
【図８】
2005300977.tif 000010
【図９】
2005300977.tif 000011